(57)【要約】【課題】コーナーパネルを用いて形成される隅部を含む壁体を構成する場合において、コーナーパネルの垂直方向の固定位置について、高い精度で最適位置に固定することができる解決手段を提供すること。【解決手段】コーナーパネル取付金具４を、水平プレート部４１と、水平プレート部４１のレベル調整軸部材用貫通孔４１１を、垂直方向に貫通するレベル調整軸部材４２と、を備え、レベル調整軸部材４２は、レベル調整ボルト部４２１と、水平プレート部４１を挟持する位置において前記レベル調整ボルト部４２１に接合されている一対のレベル保持プレート部４２２と、を備え、レベル調整ボルト部４２１の軸回転によるレベル保持プレート部４２２の位置移動によって、水平プレート部４１の垂直位置を所望の位置に調整することができるコーナーパネル取付金具４とする。【選択図】図２
2015017365.tif 000002
【特許請求の範囲】
【請求項１】
コーナーパネル取付金具であって、
水平プレート部と、
前記水平プレート部のレベル調整軸部材用貫通孔を、垂直方向に貫通するレベル調整軸部材と、を備え、
前記レベル調整軸部材は、レベル調整ボルト部と、前記水平プレート部を挟持する位置において前記レベル調整ボルト部に接合されている一対のレベル保持プレート部と、を備え、
前記レベル調整ボルト部の軸回転による前記レベル保持プレート部の位置移動によって、前記水平プレート部の垂直位置を所望の位置に調整することができるコーナーパネル取付金具。
【請求項２】
前記水平プレート部に垂直に立設された立上げプレート部を更に備え、
該立上げプレート部は、水平方向において直角に折曲している折曲げ部を有し、且つ、垂直方向を長手方向とする長穴であるコーナーパネル固定ボルト用貫通孔が形成されている請求項１に記載のコーナーパネル取付金具。
【請求項３】
請求項１又は２に記載のコーナーパネル取付金具と、躯体と、からなり、
前記コーナーパネル取付金具のレベル調整ボルト部の雄ねじ部が、前記躯体に形成された雌ねじ部に螺合しているコーナーパネル取付構造。
【請求項４】
更に、軽量気泡コンクリート製のコーナーパネルが、前記コーナーパネル取付金具に固定されている請求項３に記載のコーナーパネル取付構造。
【請求項５】
コーナーパネルを駆体に固定するコーナーパネル取付方法であって、
請求項１又は請求項２に記載のコーナーパネル取付金具を着設したコーナーパネルを前記躯体上の所定の位置に配置する手順と、
前記配置後に、前記コーナーパネル取付金具のレベル調整軸部材を必要に応じて軸回転させることによって、前記コーナーパネル取付金具の垂直位置を調整する手順と、を含むコーナーパネル取付方法。
【発明の詳細な説明】
【技術分野】
【０００１】
本発明は、建築物の壁体において隅部に配置されるコーナーパネルを、建築物躯体に固定するためのコーナーパネル取付金具、コーナーパネル取付構造、及びコーナーパネル取付方法に関する。
【背景技術】
【０００２】
中低層住宅を含む建築物において、軽量気泡コンクリート（ＡＬＣ）パネル等のプレキャストパネルによって壁体を構成する際、隅部においては、上記プレキャストパネルと同一の材質からなるコーナーパネルを配置して壁体を構成することが一般的に行われている。そして、このコーナーパネルを躯体に固定するための手段として、様々な手段が開示されている。
【０００３】
例えば、特許文献１には、コーナーパネルの長手方向の小口面に穴を穿設し、フランジを有する棒状部材を当該穴に挿入して固定し、躯体と当該フランジとを直接又は間接的に固定することによってコーナーパネルを躯体に取り付けた取付構造が開示されている。
【０００４】
又、特許文献２には、Ｌ型に形成された複数の取付金具を上部のスラブ側及び下部のスラブ側に配置すると共に、配置された取付金具の一方の片を上部のスラブ面又は下部のスラブ面に固定し、且つ、他方の片をコーナーパネルの小口面に固定するコーナーパネルの取付構造が開示されている。
【０００５】
更に、特許文献３には、コーナーパネルの下側面を、定規アングル材の床設置部上に載置させ、コーナーパネルの内側壁面を、定規アングル材の立上げ部に押し付けるようにして当接させた後、コーナーパネルの長辺小口に取付具の第１の取付片をビス等の固定手段で固定し、定規アングル材の立上げ部の外面に取付具の第２の取付片を同様に固定する方法及び取付構造が開示されている。
【先行技術文献】
【特許文献】
【０００６】
【特許文献１】特開平１０−３３８９８１号公報
【特許文献２】特開２００２−３０９７０２号公報
【特許文献３】特開２００１−１６９０７５号公報
【発明の概要】
【発明が解決しようとする課題】
【０００７】
上記の通り、コーナーパネルは、様々な手段によって取付けられており、それぞれの方法において水平方向についての位置調整の精度を高めるための工夫がされている。しかしながら、上記のいずれの手段においても、コーナーパネルの垂直方向に係る微細な位置調整については、コーナーパネルの最適位置が、スラブ等の躯体表面の平滑性等にも依存することとあいまって、施工時の最終的な微調整が極めて困難であった。
【０００８】
本発明は、コーナーパネルを用いて形成される隅部を含む壁体を構成する場合において、コーナーパネルの垂直方向の固定位置について、高い精度で最適位置に固定することができるコーナーパネル取付け金具等、上記課題の解決手段を提供することを目的とする。
【課題を解決するための手段】
【０００９】
本発明者らは、上記目的を達成するために鋭意研究を重ねた結果、建築物の躯体にコーナーパネルを取り付けるために用いるコーナーパネル取付金具を、水平プレート部の垂直位置を微調整可能な一対のレベル保持プレート部を有するレベル調整軸部材を備える構成とすることにより、上記課題を解決し得ることを見出し、本発明を完成するに至った。具体的には、本発明は以下のものを提供する。
【００１０】
（１）  コーナーパネル取付金具であって、水平プレート部と、前記水平プレート部のレベル調整軸部材用貫通孔を、垂直方向に貫通するレベル調整軸部材と、を備え、前記レベル調整軸部材は、レベル調整ボルト部と、前記水平プレート部を挟持する位置において前記レベル調整ボルト部に接合されている一対のレベル保持プレート部と、を備え、前記レベル調整ボルト部の軸回転による前記レベル保持プレート部の位置移動によって、前記水平プレート部の垂直位置を所望の位置に調整することができるコーナーパネル取付金具。
【００１１】
（１）の発明によれば、コーナーパネルをスラブ等の建築物躯体に固定して壁体を構成する場合において、上記躯体に対するコーナーパネルの垂直方向の固定位置の調整を、極めて高い精度で、容易に行うことができる。
【００１２】
（２）  前記水平プレート部に垂直に立設された立上げプレート部を更に備え、該立上げプレート部は、水平方向において直角に折曲している折曲げ部を有し、且つ、垂直方向を長手方向とする長穴であるコーナーパネル固定ボルト用貫通孔が形成されている（１）に記載のコーナーパネル取付金具。
【００１３】
（２）の発明によれば、（１）のコーナーパネル取付金具によるコーナーパネルの取付作業時において、コーナーパネルの垂直方向位置についての最終的な微調整後に、コーナーパネルの固定を容易に行うことができる。これにより、コーナーパネル取付作業の精度を保持したまま、更に作業性を向上させることができる。
【００１４】
（３）  （１）又は（２）に記載のコーナーパネル取付金具と、躯体と、からなり、前記コーナーパネル取付金具のレベル調整ボルト部の雄ねじ部が、前記躯体に形成された雌ねじ部に螺合しているコーナーパネル取付構造。
【００１５】
（３）の発明によれば、コーナーパネルを用いて形成される隅部を含む壁体を構成する場合において、上記（１）又は（２）のいずれかに記載のコーナーパネル取付金具を用いることによって、コーナーパネルの垂直方向位置についての微調整の精度を容易に向上させることができる。
【００１６】
（４）  更に、軽量気泡コンクリート製のコーナーパネルが、前記コーナーパネル取付金具に固定されている（３）に記載のコーナーパネル取付構造。
【００１７】
（４）の発明によれば、軽量気泡コンクリート製コーナーパネルによって壁体を形成する際に（３）の効果を奏することができる。
【００１８】
（５）  コーナーパネルを駆体に固定するコーナーパネル取付方法であって、（１）又は（２）に記載のコーナーパネル取付金具を着設したコーナーパネルを前記躯体上の所定の位置に配置する手順と、前記配置後に、前記コーナーパネル取付金具のレベル調整軸部材を必要に応じて軸回転させることによって、前記コーナーパネル取付金具の垂直位置を調整する手順と、を含むコーナーパネル取付方法。
【００１９】
（５）の発明によれば、コーナーパネルを用いて形成される隅部を含む壁体を構成する場合において、上記（１）又は（２）のいずれかに記載のコーナーパネル取付金具を用いることによって、コーナーパネルの垂直方向位置についての微調整の精度を容易に向上させることができる。
【発明の効果】
【００２０】
本発明によれば、コーナーパネルを用いて形成される隅部を含む壁体を構成する場合において、コーナーパネルの垂直方向の固定位置について、高い精度で最適位置に固定することができるコーナーパネル取付け金具、コーナーパネル取付構造、及びコーナーパネル取付け方法を提供することができる。
【図面の簡単な説明】
【００２１】
【図１】本発明のコーナーパネル取付金具、コーナーパネル取付構造の一実施形態である、ＡＬＣパネルを用いた壁体の出隅部を前面側から視た斜視図である。
【図２】本発明のコーナーパネル取付金具の実施形態の説明に供する斜視図である。
【図３】本発明のコーナーパネル取付金具の実施形態の説明に供するコーナーパネル取付構造の垂直断面図である。
【図４】本発明のコーナーパネル取付金具の斜視図である。
【図５】本発明のコーナーパネル取付金具の水平プレート部及びレベル調整軸部材の部分拡大斜視図である。
【図６】本発明のコーナーパネル取付金具のレベル調整軸部材の平面図及び正面図である。
【図７】本発明のコーナーパネル取付金具の立上げプレート部の斜視図である。
【図８】本発明のコーナーパネル取付金具の固定ボルト平面図及び正面図である。
【発明を実施するための形態】
【００２２】
以下、本発明のコーナーパネル取付金具、コーナーパネル取付構造、及びコーナーパネル取付方法の好ましい一実施形態について説明するが、本発明は、以下の実施形態に限定されるものではない。
【００２３】
＜コーナーパネル取付金具＞
図１は、本発明のコーナーパネル取付金具を用いて形成することができる、コーナーパネル取付構造１００の一実施形態を示す斜視図であり、壁体を構成する一対のＡＬＣパネル２が、コーナーパネル１を介して接続されている出隅部を前面側から視た斜視図である。本発明のコーナーパネル取付金具４は、このコーナーパネル取付構造１００において、コーナーパネル１をスラブ３等の躯体に固定する取付金具である。尚、本明細書における各パネルや壁体の「前面側」とは、建築物の外壁側となる側のことを言うものとする。一方、建築物の内壁側となる側のことを「背面側」と言うものとする。
【００２４】
図２及び図３は、本発明のコーナーパネル取付金具４の実施形態の説明に供する図であり、図２は斜視図、図３は垂直断面図である。これらの図に示す通り、コーナーパネル取付金具４は、コーナーパネル１をその下端部においてスラブ３に固定するために用いることができる他、コーナーパネル１をその上端部において天井側躯体３Ａに固定するためにも用いることができる。一般的には、作業性とコストの観点から、コーナーパネルの下端部においてのみ、コーナーパネル１の垂直位置を微調整可能な本発明のコーナーパネル取付金具４を用いることが好ましい。
【００２５】
図４は、スラブ３と固定されている態様におけるコーナーパネル取付金具４の斜視図である。コーナーパネル取付金具４は、図４に示す通り、水平プレート部４１と、レベル調整軸部材４２と、を備える。レベル調整軸部材４２は、水平プレート部４１に形成されているレベル調整軸部材用貫通孔４１１を垂直方向に貫通し、容易に軸回転が可能な態様で水平プレート部４１と一体化されている。
【００２６】
又、コーナーパネル取付金具４は、立上げプレート部４３が、水平プレート部４１に垂直に立設されているものであることが好ましい。但し、立上げプレート部４３は、必ずしもコーナーパネル取付金具４使用開始時において、当初からコーナーパネル取付金具４の一部であることが必須ではない。例えば、コーナーパネル１をスラブ３に設置する際に、コーナーパネル１と立上げプレート部４３とを、予め一体化しておき、コーナーパネル１をコーナーパネル取付金具４に固定する際に、コーナーパネル取付金具４と立上げプレート部４３とが、上記態様となるように一体化される構成であってもよい。
【００２７】
図５、図６に示す通り、レベル調整軸部材４２は、レベル調整ボルト部４２１と、レベル保持プレート４２２Ａと４２２Ｂとからなる一対のレベル保持プレート部４２２と、を備える。レベル調整ボルト部４２１は、水平プレート部４１に形成されたレベル調整軸部材用貫通孔４１１を軸回転可能な態様で貫通している。レベル保持プレート部４２２は、水平プレート部４１を挟持する態様で、レベル調整ボルト部４２１の端部に接合されている。
【００２８】
図４、図７に示す通り、立上げプレート部４３は、水平方向において直角に折曲している折曲げ部４３１を有する。コーナーパネル取付金具４は、立上げプレート部４３がこのような折曲げ部４３１を有することにより、コーナーパネル１の背面部の形状に沿って、同形状と嵌合した態様でスラブ３に設置し固定することができる。尚、本明細書における各部材の「水平方向」とは、当該部材が建築構造物の一部を構成する際の通常の配置態様において水平方向となる方向のことを言う。
【００２９】
又、立上げプレート部４３には、垂直方向をその長手方向とする長穴であるコーナーパネル固定ボルト用貫通孔４３２が形成されている。コーナーパネル固定ボルト用貫通孔４３２は長穴であることによって、コーナーパネル１の垂直方向の固定位置の微調整に伴うコーナーパネル固定ボルト５の位置のばらつきを吸収することができる形状となっている。
【００３０】
尚、図８に示すように、コーナーパネル固定ボルト５は、角座金５１がセットされていることが好ましい。コーナーパネル固定ボルト５は、立上げプレート部４３のコーナーパネル固定ボルト用貫通孔４３２を貫通し、コーナーパネル１を固定する際に、立上げプレート部４３の角部に接触する態様でねじ込まれる。コーナーパネル固定ボルト５を締め付けていく際に座金が丸いものであると、締め付けトルクの確保及び位置の保持が難しい。角座金５１を用いれば、立上げプレート部４３とコーナーパネル固定ボルト５とは、角座金５１の周辺端部が均等に接触するため、締め付けトルクの管理及び位置の保持が容易となる。
【００３１】
以上説明したコーナーパネル取付金具４は出隅部における使用を想定したものであるが、立上げプレート部４３の設置位置を、コーナーパネルの入隅部での使用時における背面側に配置した形状とすることにより、壁体の入隅部においても同様の効果を奏するものとして実施できる。
【００３２】
＜コーナーパネル取付構造＞
本発明のコーナーパネル取付構造１００は、本発明のコーナーパネル取付金具４によって、コーナーパネル取付金具４が、スラブ３等の建造物の躯体に固定されている構造である。又、本発明のコーナーパネル取付構造は、更に、コーナーパネル１が、コーナーパネル取付金具４に固定されている構造のことをも言うものである。そして、このようなコーナーパネルとしては、軽量で施工性に優れるＡＬＣパネルを好ましく用いることができる。
【００３３】
図２、図３に示す通り、コーナーパネル取付構造１００において、コーナーパネル取付金具４は、レベル調整軸部材４２のレベル調整ボルト部４２１に形成されている雄ねじ部４２１Ａが、スラブ３に形成されているアンカー３１内の雌ねじ部３１Ａに螺合することによって、スラブ３に固定されている。
【００３４】
上記の通り、レベル調整軸部材４２の雄ねじ部４２１Ａとスラブ３内の雌ねじ部３１Ａとが螺合する態様でスラブ３に設置されているコーナーパネル取付金具４は、レベル調整軸部材４２を任意の方向に軸回転させることによって、レベル保持プレート部４２２の垂直位置を上下に微調整することができる。これにより、レベル保持プレート部４２２の垂直位置を、レベル調整ボルト部４２１の軸方向に沿って任意の位置に適切に移動調整することができるため、水平プレート部４１の垂直位置を所望の位置に正確に調整することができる。尚、上記軸回転を容易に行うことができるようにするための軸回転操作補助部（図示せず）として、レベル調整軸部材にプレート型やバー型等任意の形状及び構成を有する補助部材が、更に設置されていることが好ましい。
【００３５】
尚、コーナーパネル取付構造１００は、特段の限定なく、様々なプレキャストパネルからなる壁体を製造する際に用いることができるが、軽量で施工性に優れる軽量気泡コンクリートパネルを用いた壁体構造の製造において、特に、好ましく用いることができる。
【００３６】
＜コーナーパネル取付方法＞
次に、本発明のコーナーパネルの取付方法について説明する。上記において詳細を説明した通りの構成、形状を有するコーナーパネル取付金具４、及び、コーナーパネル１を、上記において説明した態様において一体化した後、コーナーパネル取付金具４付きのコーナーパネル１を、スラブ３上の所定の位置に配置する。
【００３７】
上記配置の際には、コーナーパネル取付金具４の立上げプレート部４３にコーナーパネル１の背面を勘合させた態様で配置し、ＡＬＣパネル２の背面とコーナーパネル１の背面とが、同一水平面上に位置することになるように水平方向の位置を決めて配置する。そして、このように水平方向の位置が決められた状態で、更に、レベル調整軸部材４２のレベル調整ボルト部４２１を任意の方向に軸回転させることによって、レベル保持プレート部４２２の垂直位置を上下に微調整する。この微調整によって、水平プレート部４１の垂直位置、即ち、コーナーパネル１の垂直位置を、最適位置へと調整する。このような手順によってコーナーパネル１を固定する方法とすることにより、コーナーパネル１の配置、とりわけ垂直方向の配置位置の調整と当該配置位置への固定時における施工性と施工精度が大きく向上する。
【００３８】
コーナーパネル１の垂直位置の微調整作業の手順のより好ましい具体例なとしては、例えば、以下の方法を挙げることができる。先ず、コーナーパネル取付金具４の水平プレート部４１を、スラブ３に予め設置された埋め込み金物（図示せず）に固定し、その後、スラブ３の表面に雌ねじ部３１Ａを備えるアンカー３１を後打ちで形成し、その後、水平プレート部４１に付属するレベル調整軸部材４２をアンカー３１にねじ込んで垂直位置を微調整する。そして、垂直位置決定後に、コーナーパネル１に、コーナーパネル固定ボルト５を用いて立上げプレート部４３を先ず一体化する。そして、立上げプレート部４３と一体化されているコーナーパネル１を、水平プレート部４１が固定された場所に配置し、水平プレート部４１と、立上げプレート部４３と、を溶接により固定する。以上の方法により、コーナーパネル１の垂直方向の位置調整を高い精度で行うことができる。
【００３９】
以上より、本発明によれば、軽量気泡コンクリートパネルに代表されるプレキャストパネルで建築物の壁体を構成する場合に、特にその隅部の形成において、コーナーパネルの垂直方向の位置を高い精度で最適な位置に固定できることが分かる。
【符号の説明】
【００４０】
１                  コーナーパネル
２                  軽量気泡コンクリート（ＡＬＣ）パネル
３                  スラブ
３Ａ                天井側躯体
３１                アンカー
３１Ａ              雌ねじ部
４                  コーナーパネル取付金具
４１                水平プレート部
４１１              レベル調整軸部材用貫通孔
４２                レベル調整軸部材
４２１              レベル調整ボルト部
４２１Ａ            雄ねじ部
４２２              レベル保持プレート部
４３                立上げプレート部
４３１              折曲げ部
４３２              コーナーパネル固定ボルト用貫通孔
５                  コーナーパネル固定ボルト
５１                角座金
１００              コーナーパネル取付構造１００
【図１】
2015017365.tif 000003
【図２】
2015017365.tif 000004
【図３】
2015017365.tif 000005
【図４】
2015017365.tif 000006
【図５】
2015017365.tif 000007
【図６】
2015017365.tif 000008
【図７】
2015017365.tif 000009
【図８】
2015017365.tif 000010